(57)【特許請求の範囲】
【請求項１】
ユーザの血中二酸化炭素の特徴に関する情報を出力する生体情報演算システムであって、
前記ユーザの脈波に基づく評価データを取得する取得手段と、
予め取得された学習用脈波に基づく入力データ、及び前記入力データに紐づく血中二酸化炭素の特徴を含む参照データの一対を学習用データとして、複数の前記学習用データを用いて生成された分類情報が記憶されたデータベースと、
前記データベースを参照し、前記評価データに対する前記血中二酸化炭素の特徴を含む評価結果を生成する生成手段と、
を備えること
を特徴とする生体情報演算システム。
【請求項２】
前記参照データは、前記学習用脈波を計測した被検者の健康状態を示す状態情報を含み、
前記分類情報は、複数の前記学習用データを用いた機械学習により生成された学習済みモデルを含み、
前記生成手段は、前記学習済みモデルを参照し、前記評価データに紐づく前記ユーザの健康状態を示す健康状態結果を、前記評価結果に含ませて生成することを含むこと
を特徴とする請求項１記載の生体情報演算システム。
【請求項３】
複数の前記学習用データは、前記被検者の健康時における前記入力データ及び前記参照データのみを含み、
前記健康状態結果は、前記評価データに紐づく前記ユーザの健康状態が、健康、又は健康以外を示すこと
を特徴とする請求項２記載の生体情報演算システム。
【請求項４】
前記分類情報は、前記入力データを説明変数とし、前記参照データを目的変数としたＰＬＳ回帰分析を用いて得られた検量モデルであること
を特徴とする請求項１記載の生体情報演算システム。
【請求項５】
前記取得手段は、前記脈波に基づき、前記評価データとは異なる予備評価データを取得することを含み、
前記生成手段は、前記データベースを参照し、前記予備評価データに対する前記ユーザの生体情報を算出することを含むこと
を特徴とする請求項１記載の生体情報演算システム。
【請求項６】
前記データベースには、前記学習用脈波に基づく予備入力データ、及び前記予備入力データに紐づく前記生体情報を含む予備参照データの一対を予備学習用データとして、複数の前記予備学習用データを用いて生成された予備分類情報が記憶され、
前記生成手段は、前記予備分類情報を参照し、前記予備評価データに対する前記生体情報を算出することを含むこと
を特徴とする請求項５記載の生体情報演算システム。
【請求項７】
前記取得手段は、前記脈波に基づき、前記評価データとは異なる予備評価データを取得することを含み、
前記分類情報は、それぞれ異なる前記学習用データを用いて算出された複数の属性別分類情報を含み、
前記生成手段は、
前記予備評価データを参照し、複数の前記属性別分類情報のうち第１分類情報を選択する選択手段と、
前記第１分類情報を参照し、前記評価データに対する前記評価結果を生成する属性別生成手段と
を含むこと
を特徴とする請求項１記載の生体情報演算システム。
【請求項８】
前記取得手段は、
前記脈波に基づく速度脈波に相当するデータを、前記評価データとして取得し、
前記脈波に基づく加速度脈波に相当するデータを、前記予備評価データとして取得すること
を含むこと
を特徴とする請求項７記載の生体情報演算システム。
【発明の詳細な説明】
【技術分野】
【０００１】
本発明は、ユーザの血中二酸化炭素の特徴に関する情報を出力する生体情報演算システムに関する。
【背景技術】
【０００２】
従来、ユーザの血中二酸化炭素分圧（ＰａＣＯ２）等の生体に関する情報を推定する方法として、例えば特許文献１のような方法が提案されている。
【０００３】
特許文献１では、互いに異なる光波長を有する少なくとも２つの容積脈波のそれぞれについての平均フレームを構成した後、それら２つの容積脈波についての２つの平均フレーム間のゲインを推定するために用いることが可能であり、そのゲイン値を、血中酸素飽和度を取得するための情報、または血中に存在する他の成分、例えば、ヘモグロビン、二酸化炭素またはその他のようなものを推定するために用いてもよい旨が開示されている。
【先行技術文献】
【特許文献】
【０００４】
【特許文献１】特表２０２０−５１３８７６号公報
【発明の概要】
【発明が解決しようとする課題】
【０００５】
ここで、ユーザの血中二酸化炭素分圧等の値を計測する際、計測値を特定周期でモニタリングすることで、ユーザの健康状態を詳細に把握することができる。しかしながら、計測値をモニタリングする際、計測条件等に起因する計測値のバラつきが大きくなり、評価精度の低下が課題として挙げられている。この点、特許文献１では、２種類の光波長を用いた容積脈波に基づき、血中二酸化炭素の特徴を推定する。このため、光の出射や、センサに入射する角度の僅かな差により、計測値に大きなバラつきが生じる懸念がある。
【０００６】
そこで本発明は、上述した問題点に鑑みて案出されたものであり、その目的とするところは、評価精度の向上を図る生体情報演算システムを提供することにある。
【課題を解決するための手段】
【０００７】
第１発明に係る生体情報演算システムは、ユーザの血中二酸化炭素の特徴に関する情報を出力する生体情報演算システムであって、前記ユーザの脈波に基づく評価データを取得する取得手段と、予め取得された学習用脈波に基づく入力データ、及び前記入力データに紐づく血中二酸化炭素の特徴を含む参照データの一対を学習用データとして、複数の前記学習用データを用いて生成された分類情報が記憶されたデータベースと、前記データベースを参照し、前記評価データに対する前記血中二酸化炭素の特徴を含む評価結果を生成する生成手段と、を備えることを特徴とする。
【０００８】
第２発明に係る生体情報演算システムは、第１発明において、前記参照データは、前記学習用脈波を計測した被検者の健康状態を示す状態情報を含み、前記分類情報は、複数の前記学習用データを用いた機械学習により生成された学習済みモデルを含み、前記生成手段は、前記学習済みモデルを参照し、前記評価データに紐づく前記ユーザの健康状態を示す健康状態結果を、前記評価結果に含ませて生成することを含むことを特徴とする。
【０００９】
第３発明に係る生体情報演算システムは、第２発明において、複数の前記学習用データは、前記被検者の健康時における前記入力データ及び前記参照データのみを含み、前記健康状態結果は、前記評価データに紐づく前記ユーザの健康状態が、健康、又は健康以外を示すことを特徴とする。
【００１０】
第４発明に係る生体情報演算システムは、第１発明において、前記分類情報は、前記入力データを説明変数とし、前記参照データを目的変数としたＰＬＳ回帰分析を用いて得られた検量モデルであることを特徴とする。
【００１１】
第５発明に係る生体情報演算システムは、第１発明において、前記取得手段は、前記脈波に基づき、前記評価データとは異なる予備評価データを取得することを含み、前記生成手段は、前記データベースを参照し、前記予備評価データに対する前記ユーザの生体情報を含む予備評価結果を生成することを含むことを特徴とする。
【００１２】
第６発明に係る生体情報演算システムは、第５発明において、前記データべースには、前記学習用脈波に基づく予備入力データ、及び前記予備入力データに紐づく前記生体情報を含む予備参照データの一対を予備学習用データとして、複数の前記予備学習用データを用いて生成された予備分類情報が記憶され、前記生成手段は、前記予備分類情報を参照し、前記予備評価データに対する前記予備評価結果を生成することを含むことを特徴とする。
【００１３】
第７発明に係る生体情報演算システムは、第１発明において、前記取得手段は、前記脈波に基づき、前記評価データとは異なる予備評価データを取得することを含み、前記分類情報は、それぞれ異なる前記学習用データを用いて算出された複数の属性別分類情報を含み、前記生成手段は、前記予備評価データを参照し、複数の前記属性別分類情報のうち第１分類情報を選択する選択手段と、前記第１分類情報を参照し、前記評価データに対する前記評価結果を生成する属性別生成手段とを含むことを特徴とする。
【００１４】
第８発明に係る生体情報演算システムは、第７発明において、前記取得手段は、前記脈波に基づく速度脈波に相当するデータを、前記評価データとして取得し、前記脈波に基づく加速度脈波に相当するデータを、前記予備評価データとして取得することを含むことを特徴とする。
【発明の効果】
【００１５】
第１発明〜第８発明によれば、生成手段は、データベースを参照し、評価データに対する血中二酸化炭素の特徴を含む評価結果を生成する。また、データベースには、複数の学習用データを用いて算出された分類情報が記憶される。このため、評価結果を生成する際、過去に実績のあるデータ（入力データ及び血中二酸化炭素の特徴）を踏まえた定量的な血中二酸化炭素の特徴を含ませることができる。これにより、評価精度の向上を図ることが可能となる。
【００１６】
特に、第２発明によれば、生成手段は、学習済みモデルを参照し、評価データに紐づく健康状態結果を、評価結果に含ませて生成することができる。このため、血中二酸化炭素の特徴を判断材料とした健康状態を、ユーザに報知することができ、血中二酸化炭素の特徴のみを報知する場合に比べて、健康状態を容易に把握することができる。これにより、ユーザに対する利便性の向上を図ることが可能となる。
【００１７】
特に、第３発明によれば、複数の学習用データは、被検者の健康時における入力データ及び参照データのみを含み、健康状態結果は、評価データに紐づくユーザの健康状態が、健康か否かを示す。このため、不健康時における学習用脈波に基づく入力データ、及び血中二酸化炭素の特徴を準備できない場合においても、ユーザの健康状態を示す結果を生成することができる。これにより、分類情報を生成する際の難易度を高めることなく、ユーザに対する利便性のさらなる向上を図ることが可能となる。
【００１８】
特に、第４発明によれば、分類情報は、入力データを説明変数とし、参照データを目的変数としたＰＬＳ回帰分析を用いて得られた検量モデルである。このため、機械学習等を用いて分類情報を算出する場合に比べて、学習用データの数を大幅に減らすことができるとともに、検量モデルの更新を容易に実施することができる。これにより、生体情報演算システムの構築及び更新の容易化を図ることが可能となる。
【００１９】
特に、第５発明によれば、生成手段は、データベースを参照し、予備評価データに対するユーザの生体情報を含む予備評価結果を生成する。このため、評価結果とは異なる観点により生成された予備評価結果を利用することができ、多角的な評価を実施することができる。これにより、ユーザの要求に応じた適切な評価を実現することが可能となる。
【００２０】
特に、第６発明によれば、生成手段は、予備分類情報を参照し、予備評価データに対する予備評価結果を生成することを含む。このため、評価結果とは異なる情報を参照して生成された予備評価結果を利用することができ、より多角的な評価を実施することができる。これにより、ユーザの要求に応じた適切な評価を容易に実現することが可能となる。
【００２１】
特に、第７発明によれば、生成手段は、予備評価データを参照し、第１分類情報を選択する選択手段と、第１分類情報を参照し、評価データに対する評価結果を生成する属性別生成手段とを含む。このため、脈波の特徴に対して最適な属性分類情報を選択した上で、評価データに対する評価結果を生成することができる。これにより、評価精度のさらなる向上を図ることが可能となる。
【００２２】
特に、第８発明によれば、取得手段は、脈波に基づく速度脈波に相当するデータを、評価データとして取得する。また、予備取得手段は、脈波に基づく加速度脈波に相当するデータを、予備評価データとして取得する。このため、速度脈波に比べて、脈波の特徴を分類し易い加速度脈波を用いて、属性分類情報を選択することができる。また、加速度脈波に比べて、血中二酸化炭素の特徴を算出し易い速度脈波を用いて、評価結果を生成することができる。これにより、評価精度のさらなる向上を図ることが可能となる。
【図面の簡単な説明】
【００２３】
【図１】図１は、第１実施形態における生体情報演算システムの一例を示す模式図である。
【図２】図２（ａ）及び図２（ｂ）は、第１実施形態における生体情報演算システムの動作の一例を示す模式図である。
【図３】図３（ａ）は、分類情報の一例を示す模式図であり、図３（ｂ）及び図３（ｃ）は、センサデータに対する処理の一例を示す模式図である。
【図４】図４（ａ）は、生体情報演算装置の構成の一例を示す模式図であり、図４（ｂ）は、生体情報演算装置の機能の一例を示す模式図である。
【図５】図５（ａ）及び図５（ｂ）は、センサの一例を示す模式図である。
【図６】図６は、第１実施形態における生体情報演算システムの動作の一例を示すフローチャートである。
【図７】図７は、第２実施形態における生体情報演算システムの動作の一例を示す模式図である。
【図８】図８（ａ）及び図８（ｂ）は、センサデータに対する生体情報を算出する処理の一例を示す模式図である。
【図９】図９は、第２実施形態における生体情報演算システムの動作の変形例を示す模式図である。
【図１０】図１０は、第３実施形態における生体情報演算システムの動作の一例を示す模式図である。
【図１１】図１１は、加速度脈波に相当するデータの分類例を示す模式図である。
【図１２】図１２は、速度脈波に相当するデータの分類例を示す模式図である。
【発明を実施するための形態】
【００２４】
以下、本発明の実施形態における生体情報演算システムの一例について、図面を参照しながら説明する。
【００２５】
（第１実施形態：生体情報演算システム１００）
図１は、第１実施形態における生体情報演算システム１００の一例を示す模式図である。
【００２６】
生体情報演算システム１００は、ユーザの血中二酸化炭素の特徴に関する情報を出力するために用いられる。生体情報演算システム１００は、ユーザの脈波に基づく評価データから、血中二酸化炭素の特徴を含む評価結果を生成することができる。なお、「血中二酸化炭素の特徴」とは、ユーザの血液に含まれる二酸化炭素の程度を示す。血中二酸化炭素の特徴として、例えば血中二酸化炭素分圧（ＰａＣＯ２）の値が用いられるほか、血中二酸化炭素の溶存濃度や、血液に含まれる重炭酸・バイカーボネート（ＨＣＯ３−）の濃度が用いられてもよく、状況に応じて血液のｐＨを考慮した値が用いられてもよい。以下、血中二酸化炭素の特徴として、血中二酸化炭素分圧の値が用いられる場合について、主に説明する。
【００２７】
生体情報演算システム１００は、例えば図１に示すように、生体情報演算装置１を備え、例えばセンサ５及びサーバ４の少なくとも何れかを備えてもよい。生体情報演算装置１は、例えば通信網３を介してセンサ５やサーバ４と接続される。
【００２８】
生体情報演算システム１００では、例えば図２（ａ）に示すように、生体情報演算装置１が、センサ５等により生成されたセンサデータを取得する。その後、生体情報演算装置１は、取得したデータに対し、フィルタ処理等の前処理を実施し、評価データを取得する。
【００２９】
生体情報演算装置１は、データベースを参照し、評価データに対する血中二酸化炭素の特徴（例えば血中二酸化炭素分圧の値）を算出する。データベースには、例えば評価データから血中二酸化炭素分圧の値を算出するための分類情報が記憶される。
【００３０】
分類情報は、例えば図３（ａ）に示すように、過去に取得された学習用脈波に基づく入力データ、及び入力データに紐づく血中二酸化炭素分圧の値を含む参照情報の一対を学習データとして、複数の学習データを用いて生成される。このため、学習データとして、健康状態等が明確な被検者等を対象としたデータを用いることができるため、単純に蓄積されたデータを用いた場合に比べ、信頼できる分類情報を生成することが可能となる。また、分類情報を参照することで、経時で算出基準が変動することなく、定量的な血中二酸化炭素分圧の値を算出することができる。
【００３１】
生体情報演算装置１は、算出した血中二酸化炭素分圧の値を含む評価結果を生成し、例えばディスプレイ等に出力する。評価結果には、血中二酸化炭素分圧の値のほか、例えば「正常」、「異常」等のような、血中二酸化炭素分圧の値に対する評価を示す情報が含まれてもよい。
【００３２】
上記のように、本実施形態における生体情報演算システム１００では、データベースを参照し、評価データに対する血中二酸化炭素の特徴を含む評価結果を生成することができる。このため、評価結果を生成する際、過去に実績のあるデータを踏まえた定量的な血中二酸化炭素の特徴を含ませることができる。これにより、評価精度の向上を図ることが可能となる。
【００３３】
なお、生体情報演算システム１００では、例えば図２（ｂ）に示すように、センサ５等から評価データを取得してもよい。この場合、センサデータから評価データを取得する前処理は、センサ５等により実施される。
【００３４】
＜センサデータ＞
センサデータは、ユーザの脈波の特徴を示すデータを含み、例えば脈波以外の特徴を示すデータ（ノイズ）を含んでもよい。センサデータは、計測時間に対する振幅を示すデータであり、用途やセンサデータの生成条件に応じたフィルタ処理を実施することで、センサデータから加速度脈波や速度脈波等に相当するデータを取得することができる。
【００３５】
センサデータは、ひずみセンサ、ジャイロセンサ、光電容積脈波（ＰＰＧ）センサ圧力センサ等の公知のセンサにより生成することができる。センサデータは、デジタル信号のほか、例えばアナログ信号でもよい。なお、センサデータを生成する際の計測時間は、例えば脈波の１〜２０周期分の計測時間であり、センサデータの処理方法や、データ通信方法等の条件に応じて、任意に設定することができる。
【００３６】
＜評価データ＞
評価データは、血中二酸化炭素の特徴を算出するためのデータを示す。評価データは、例えばユーザの脈波に基づく加速度脈波に相当するデータを示し、特定の周期（例えば１周期）に対する振幅を示す。
【００３７】
評価データは、センサデータを生体情報演算装置１等によって処理（前処理）を実施することで取得される。例えば図３（ｂ）及び図３（ｃ）に示すように、センサデータに対して複数の処理を実施することで、評価データを得ることができる。各処理の詳細については、後述する。
【００３８】
＜データベース＞
データベースは、主に、評価データに対する血中二酸化炭素の特徴を算出する際に用いられる。データベースには、１つ以上の分類情報が記憶されるほか、例えば分類情報の生成に用いられた複数の学習データが記憶されてもよい。
【００３９】
分類情報は、例えば予め取得された過去の評価データ（入力データ）と、血中二酸化炭素の特徴を含む参照情報との相間関係を示す関数である。分類情報は、例えば入力データを説明変数とし、参照情報を目的変数として、回帰分析等により解析し、その解析結果に基づいて生成される検量モデルを示す。分類情報は、例えば検量モデルを定期的に更新することができるほか、ユーザの性別、年齢、健康状態等の属性情報に応じて生成してもよい。
【００４０】
分類情報を生成する際に用いる回帰分析の方法として、例えばＰＬＳ（Partial Least Squares）回帰分析、クラス毎に主成分分析を行って主成分モデルを得るＳＩＭＣＡ（Soft Independent Modeling of Class Analogy）法を利用した回帰分析等を用いることができる。
【００４１】
分類情報は、例えば複数の学習用データを用いた機械学習により生成された、学習済みモデルを含んでもよい。学習済みモデルは、例えばＣＮＮ（Convolutional Neural Network）等のニューラルネットワークモデルを示すほか、ＳＶＭ（Support vector machine）等を示す。また、機械学習として、例えば深層学習を用いることができる。
【００４２】
入力データは、評価データと同種のデータが用いられ、例えば対応する血中二酸化炭素の特徴が明確となっている過去の評価データを示す。入力データは、健康状態等が明確な被検者の脈波（学習用脈波）に基づき取得されたデータを示す。
【００４３】
例えば、被検者にセンサ５等を装着させ、学習用脈波の特徴を示すセンサデータ（学習用センサデータ）を生成する。そして、学習用センサデータに対して処理を実施することで、入力データを取得することができる。なお、入力データは、生体情報演算システム１００のユーザから取得するほか、例えばユーザとは別のユーザから取得してもよい。即ち、上述した被検者は、生体情報演算システム１００のユーザであるほか、ユーザ以外を対象としてもよく、特定又は不特定の多数でもよい。
【００４４】
入力データは、例えば評価データを取得する際に利用するセンサ５等の種類、センサデータの生成条件、及びセンサデータに対する処理条件と同様の内容によって取得されることが好ましい。例えば上記３つの内容を統一することで、血中二酸化炭素の特徴を算出する際の精度を飛躍的に向上させることが可能となる。
【００４５】
参照情報は、計測装置を用いて計測された、被検者の血中二酸化炭素の特徴を含む。例えば被検者にセンサ５等を装着させて学習用センサデータを生成する際、被検者の血中二酸化炭素の特徴を計測することで、入力データに紐づく参照情報を取得することができる。この場合、血中二酸化炭素の特徴を計測するタイミングは、学習用センサデータを生成するタイミングと同時が好ましいが、例えば１〜１０分程度前後するタイミングでもよい。
【００４６】
計測装置として例えば経皮血液ガスモニタＴＣＭ５（ラジオメーターバーゼル社製）等の公知の装置が用いられるほか、例えば公知の血中二酸化炭素分圧（ＰａＣＯ２）を計測又は推定する装置が用いられてもよい。なお、例えば計測装置として、血液に含まれる重炭酸・バイカーボネート（ＨＣＯ３−）の濃度や、血中のｐＨを計測又は推定できる公知の計測装置が用いられてもよい。また、参照情報は、血中二酸化炭素分圧の値等の血中二酸化炭素の特徴を含むほか、例えば酸素飽和度の値や、大気圧の値等のような、血中二酸化炭素の特徴と関連し得る計測値を含ませてもよい。
【００４７】
＜生体情報演算装置１＞
生体情報演算装置１は、例えばパーソナルコンピュータ（ＰＣ）、携帯電話、スマートフォン、タブレット型端末、ウェアラブル端末等の電子機器を示し、例えばユーザの操作に基づいて、通信網３を介して通信可能な電子機器を示す。なお、生体情報演算装置１は、センサ５を内蔵してもよい。以下、生体情報演算装置１として、ＰＣが用いられる場合の一例を説明する。
【００４８】
図４（ａ）は、生体情報演算装置１の構成の一例を示す模式図であり、図４（ｂ）は、生体情報演算装置１の機能の一例を示す模式図である。
【００４９】
生体情報演算装置１は、例えば図４（ａ）に示すように、筐体１０と、ＣＰＵ（Central Processing Unit）１０１と、ＲＯＭ（Read Only Memory）１０２と、ＲＡＭ（Random Access Memory）１０３と、保存部１０４と、Ｉ／Ｆ１０５〜１０７とを備える。各構成１０１〜１０７は、内部バス１１０により接続される。
【００５０】
ＣＰＵ１０１は、生体情報演算装置１全体を制御する。ＲＯＭ１０２は、ＣＰＵ１０１の動作コードを格納する。ＲＡＭ１０３は、ＣＰＵ１０１の動作時に使用される作業領域である。保存部１０４は、データベースや評価データ等の各種情報が記憶される。保存部１０４として、例えばＨＤＤ（Hard Disk Drive）のほか、ＳＳＤ（Solid State Drive）等のデータ保存装置が用いられる。なお、例えば生体情報演算装置１は、図示しないＧＰＵ（Graphics Processing Unit）を有してもよい。
【００５１】
Ｉ／Ｆ１０５は、通信網３を介して、必要に応じてサーバ４やセンサ５等との各種情報の送受信を行うためのインターフェースである。Ｉ／Ｆ１０６は、入力部１０８との情報の送受信を行うためのインターフェースである。入力部１０８として、例えばキーボードが用いられ、生体情報演算装置１のユーザ等は、入力部１０８を介して、各種情報、又は生体情報演算装置１の制御コマンド等を入力する。Ｉ／Ｆ１０７は、表示部１０９との各種情報の送受信を行うためのインターフェースである。表示部１０９は、保存部１０４に保存された各種情報、又は評価結果等を表示する。表示部１０９として、ディスプレイが用いられ、例えばタッチパネル式の場合、入力部１０８と一体に設けられる。
【００５２】
図４（ｂ）は、生体情報演算装置１の機能の一例を示す模式図である。生体情報演算装置１は、取得部１１と、生成部１２と、出力部１３と、記憶部１４とを備え、例えば学習部１５を備えてもよい。なお、図４（ｂ）に示した各機能は、ＣＰＵ１０１が、ＲＡＭ１０３を作業領域として、保存部１０４等に記憶されたプログラムを実行することにより実現される。
【００５３】
＜取得部１１＞
取得部１１は、ユーザの脈波に基づく評価データを取得する。取得部１１は、例えばセンサ５等からセンサデータを取得したあと、センサデータに対して処理を実施することで、評価データを取得する。
【００５４】
取得部１１は、例えば図３（ｂ）に示すように、取得したセンサデータに対し、フィルタリング処理（フィルタ処理）を実施する。フィルタ処理では、例えば０．５〜５．０Ｈｚのバンドパスフィルタが用いられる。これにより、取得部１１は、ユーザの脈波に相当するデータ（脈波データ）を抽出する。脈波データは、例えば速度脈波に相当するデータを示す。なお、脈波データは、例えば加速度脈波又は容積脈波に相当するデータを示してもよく、センサの種類や用途に応じて任意に設定できる。また、バンドパスフィルタのフィルタ範囲は、用途に応じて任意に設定することができる。
【００５５】
取得部１１は、例えば脈波データに対し、微分処理を実施する。例えば速度脈波に相当する脈波データに対して微分処理が実施される場合、取得部１１は、加速度脈波に相当するデータ（微分データ）を取得する。なお、微分処理では、１回微分のほか２回微分が実施されてもよい。
【００５６】
取得部１１は、例えば微分データに対し、分割処理を実施する。分割処理では、例えば複数周期の加速度脈波に相当する微分データが、１周期毎の加速度脈波に相当するデータ（分割データ）に分割される。このため、取得部１１は、例えば１つの微分データに対して微分処理を実施することで、複数の分割データを取得することができる。なお、分割処理では、用途に応じて任意の周期（例えば周期の正数倍）毎に、微分データを分割することができる。
【００５７】
例えば分割処理において、分割した各分割データにおけるデータ量が、それぞれ異なる場合がある。この場合、取得部１１は、最も少ないデータ量の分割データを特定し、他の分割データに対して、データ量の削減（トリミング）を実施してもよい。これにより、各分割データにおけるデータ量を統一することができ、各分割データにおけるデータの対比が容易になる。
【００５８】
上記のほか、例えば分割データの時間軸に対応する値を対象に規格化処理を実施してもよい。規格化処理では、例えば時間軸に対応する値の最小値を０とし、最大値を１とした規格化が実施される。これにより、各分割データにおけるデータの対比が容易になる。
【００５９】
取得部１１は、例えばデータ量の削減、又は規格化を実施した複数の分割データにおける平均を算出し、分割データとしてもよい。
【００６０】
取得部１１は、分割データに対し、規格化処理を実施する。規格化処理では、振幅に対応する値を対象に、規格化されたデータ（規格化データ）が生成される。規格化処理では、例えば振幅の最低値を０とし、振幅の最高値を１とした規格化が実施される。取得部１１は、例えば規格化データを評価データとして取得する。この場合、評価データとして、ユーザの加速度脈波に相当するデータが得られる。
【００６１】
取得部１１は、上述した各処理を順次実施するほか、例えば図３（ｃ）に示すように、微分処理を実施しなくてもよい。この場合、評価データとして、ユーザの速度脈波に相当するデータが得られる。
【００６２】
また、取得部１１は、例えば上述した各処理の一部のみを実施してもよい。この場合、取得部１１は、脈波データ、微分データ、分割データ、トリミングされた分割データ、及び時間軸に対応する値を規格化した分割データの何れかを、評価データとして取得してもよく、用途に応じて任意に設定できる。
【００６３】
＜生成部１２＞
生成部１２は、データベースを参照し、評価データに対する血中二酸化炭素の特徴（例えば血中二酸化炭素分圧の値）を含む評価結果を生成する。生成部１２は、例えばデータベースに記憶された分類情報を参照し、評価データに対する血中二酸化炭素の特徴を算出する。生成部１２は、例えば保存部１０４等に予め記憶された表示用のフォーマットを用いて、血中二酸化炭素の特徴をユーザが理解できる形式に変換した評価結果を生成する。
【００６４】
例えば、分類情報が学習済みモデルを含む場合、生成部１２は、学習済みモデルを参照し、評価データに紐づくユーザの健康状態を示す健康状態結果を、評価結果に含ませて生成してもよい。この場合、学習済みモデルを生成する際に用いた参照データは、学習用脈波を計測した被検者の健康状態を示す状態情報を含む。状態情報は、例えば「健康」、「○○の可能性あり」、「過去に□□疾患の経験あり」等のような、被検者の現在及び過去の健康状態を詳細に関する情報を含む。
【００６５】
なお、学習済みモデルを生成する際に用いた複数の学習用データは、例えば被検者の健康時における入力データ及び参照データのみを含んでもよい。この場合、評価結果（健康状態結果）は、評価データに紐づくユーザの健康状態が、健康、又は健康以外のみを示してもよい。即ち、評価データが学習用データに類似する場合に、健康状態結果として「健康」を示し、評価データが学習データと乖離する場合に、健康状態結果として「健康以外」を示すように、生成部１２が評価結果を生成してもよい。なお、「健康」、「健康以外」を分類する閾値は、任意に設定することができる。
【００６６】
＜出力部１３＞
出力部１３は、評価結果を出力する。出力部１３は、表示部１０９に評価結果を出力するほか、例えばセンサ５等に評価結果を出力してもよい。
【００６７】
＜記憶部１４＞
記憶部１４は、保存部１０４に保存されたデータベース等の各種データを、必要に応じて取出す。記憶部１４は、各構成１１〜１３、１５により取得又は生成された各種データを、必要に応じて保存部１０４に保存する。
【００６８】
＜学習部１５＞
学習部１５は、例えば複数の学習データを用いて、分類情報を生成する。学習部１５は、例えば新たな学習データを取得し、既存の分類情報を更新してもよい。
【００６９】
＜通信網３＞
通信網３は、生体情報演算装置１と、サーバ４と、センサ５とを通信回線を介して接続される公知のインターネット網等である。通信網３は、生体情報演算システム１００を一定の狭いエリア内で運用する場合には、ＬＡＮ（Local Area Network）等で構成されてもよい。また、通信網３は、いわゆる光ファイバ通信網で構成されてもよい。また、通信網３は、有線通信網に限定されるものではなく、無線通信網で実現されてもよく、用途に応じて任意に設定できる。
【００７０】
サーバ４は、通信網３を介して送られてきた情報が蓄積される。サーバ４は、生体情報演算装置１からの要求に基づき、通信網３を介して蓄積された情報を生体情報演算装置１へと送信する。
【００７１】
＜センサ５＞
センサ５は、センサデータを生成する。センサ５は、例えば図５（ａ）に示すように、検出部６を備える。センサ５は、検出部６を介してユーザの脈波を検出可能な位置に装着され、例えばリストバンド５５に固定される。
【００７２】
検出部６は、ユーザの脈波を検出可能な公知の検出装置が用いられる。検出部６として、例えばファイバブラッググレーティング（ＦＢＧ）センサ等のひずみセンサ、ジャイロセンサ、脈波信号測定のための１つ以上の電極、光電容積脈波（ＰＰＧ）センサ、圧力センサ、及び光検出モジュールの少なくとも何れかが用いられる。検出部６は、例えば複数配置されてもよい。
【００７３】
なお、センサ５は、衣服に埋め込まれてもよい。また、センサ５を装着するユーザは、人間のほか、犬や猫等のペットを対象としてもよく、例えば牛や豚等の家畜、魚等の養殖を対象としてもよい。
【００７４】
センサ５は、例えば図５（ｂ）に示すように、取得部５０と、通信Ｉ／Ｆ５１と、メモリ５２と、命令部５３とを備え、各構成がそれぞれ内部バス５４で接続される。
【００７５】
取得部５０は、検出部６を介してユーザの脈波を測定し、センサデータを生成する。取得部５０は、例えば生成したセンサデータを、通信Ｉ／Ｆ５１、又はメモリ５２へと送信する。
【００７６】
通信Ｉ／Ｆ５１は、通信網３を介して、センサデータ等の各種データを生体情報演算装置１やサーバ４に送信する。また、通信Ｉ／Ｆ５１は、通信網３と接続するための回線制御回路や、生体情報演算装置１やサーバ４との間でデータ通信を行うための信号変換回路等が、実装されている。通信Ｉ／Ｆ５１は、内部バス５４からの各種命令に変換処理を施して、これを通信網３側へ送出するとともに、通信網３からのデータを受信した場合には、これに所定の変換処理を施して内部バス５４へ送信する。
【００７７】
メモリ５２は、取得部５０から送信されたセンサデータ等の各種データを保存する。メモリ５２は、例えば通信網３を介して接続される他の末端装置から命令を受けることにより、保存したセンサデータ等の各種データを、通信Ｉ／Ｆ５１へ送信する。
【００７８】
命令部５３は、センサデータを取得するための操作ボタンやキーボード等を含み、例えばＣＰＵ等のプロセッサを含む。命令部５３は、センサデータの取得の命令を受け付けた場合に、これを取得部５０に通知する。この通知を受けた取得部５０は、センサデータを取得する。なお、命令部５３は、例えば図３（ｂ）及び図３（ｃ）に示すように、センサデータから評価データを取得するための処理を実施してもよい。
【００７９】
ここで、センサデータを取得する一例として、ＦＢＧセンサを用いる場合を説明する。
【００８０】
ＦＢＧセンサは、１本の光ファイバ内に所定間隔をあけて回折格子構造を形成したである。ＦＢＧセンサは、例えばセンサ部分の長さが１０ｍｍ、波長分解能が±０．１ｐｍ、波長範囲が１５５０±０．５ｎｍ、ファイバの直径が１４５μｍ、コア径１０．５μｍである特徴を持つ。ＦＢＧセンサを上述した検出部６として、ユーザの皮膚に接触させた状態で測定をすることができる。
【００８１】
例えば光ファイバに用いる光源として、波長範囲１５２５〜１５７０ｎｍのＡＳＥ（Amplified Spontaneous Emission）光源が用いられる。光源からの出射光は、サーキュレータを介してＦＢＧセンサに入射させる。ＦＢＧセンサからの反射光は、サーキュレータを介してマッハツェンダー干渉計に導き、マッハツェンダー干渉計からの出力光を、光検出器によって検知する。マッハツェンダー干渉計は、ビームスプリッタにより光路差のある２つの光路に分離し、再びビームスプリッタにより一つに重ね合わせて干渉光を作り出すためのものである。光路差をつけるため、例えば一方の光ファイバの長さを長くしてもよい。コヒーレント光は、光路差に応じて干渉縞が生じるため、干渉縞のパターンを測定することによって、ＦＢＧセンサに生じた歪の変化、すなわち脈波を検知することができる。取得部５０は、検知された脈波に基づき、センサデータを生成する。これにより、センサデータが取得される。
【００８２】
なお、ＦＢＧセンサの歪み量を検出して、脈波の波形を検出する光ファイバセンサシステムは、ＦＢＧセンサに入射させる光源の他に、広い帯域のＡＳＥ光源とする手段、サーキュレータ、マッハツェンダー干渉計、ビームスプリッタといった光学系や、光検出器が備える受光センサや、波長シフト量を解析する解析手段を含む。光ファイバセンサシステムは、使用するＦＢＧセンサの特性に応じて光源や帯域光を選択して使用することができ、検波方法等の解析手段についても種々の方法を採用することができる。
【００８３】
（実施形態１：生体情報演算システム１００の動作）
次に、本実施形態における生体情報演算システム１００の動作の一例について説明する。図６は、本実施形態における生体情報演算システム１００の動作の一例を示すフローチャートである。
【００８４】
生体情報演算システム１００は、例えば生体情報演算装置１内にインストールされた生体情報演算プログラムを介して実行する。即ち、ユーザは、生体情報演算装置１、又はセンサ５を操作し、生体情報演算装置１にインストールされている生体情報演算プログラムを通じて、センサデータから血中二酸化炭素の特徴（例えば血中二酸化炭素分圧の値）を含む評価結果を取得することができる。
【００８５】
生体情報演算システム１００の動作は、取得手段Ｓ１１０と、生成手段Ｓ１２０とを備え、例えば出力手段Ｓ１３０を備えてもよい。
【００８６】
＜取得手段Ｓ１１０＞
取得手段Ｓ１１０は、ユーザの脈波に基づく評価データを取得する。例えばセンサ５の取得部５０は、検出部６を介してユーザの脈波を測定し、センサデータを生成する。取得部５０は、通信Ｉ／Ｆ５１、及び通信網３を介して、センサデータを生体情報演算装置１へ送信する。生体情報演算装置１の取得部１１は、センサ５からセンサデータを受信する。
【００８７】
取得部１１は、例えば図３（ｂ）に示した処理を、センサデータに対して実施し、評価データを取得する。取得部１１は、例えば記憶部１４を介して、取得した評価データを保存部１０４に保存する。なお、取得部１１がセンサ５からセンサデータを取得する頻度等の条件は、用途に応じて任意に設定することができる。
【００８８】
＜生成手段Ｓ１２０＞
次に、生成手段Ｓ１２０は、データベースを参照し、評価データに対する血中二酸化炭素の特徴（例えば血中二酸化炭素分圧の値）を含む評価結果を生成する。例えば生成部１２は、分類情報を参照し、評価データに対する血中二酸化炭素分圧の値を算出する。生成部１２は、算出した値を含む評価結果を生成する。生成部１２は、例えば記憶部１４を介して、生成した評価結果を保存部１０４に保存する。なお、血中二酸化炭素分圧の値として、特定の値を示すほか、例えば誤差範囲（例えば「○○±２ｍｍＨｇ」等）が算出されてもよい。
【００８９】
生成部１２は、例えば計測時間の異なる複数の評価データに対する血中二酸化炭素分圧の値をそれぞれ算出し、各値を評価結果に含ませてもよい。この場合、ユーザ等が血中二酸化炭素分圧の経時変化や平均値等を容易に把握することができる。
【００９０】
＜出力手段Ｓ１３０＞
次に、例えば出力手段Ｓ１３０は、評価結果を出力してもよい。例えば出力部１３は、表示部１０９に評価結果を出力する。
【００９１】
これにより、生体情報演算システム１００の動作が終了する。なお、各ステップを実施する頻度や順番は、用途に応じて任意に設定できる。
【００９２】
本実施形態によれば、生成手段Ｓ１２０は、データベースを参照し、評価データに対する血中二酸化炭素の特徴を含む評価結果を生成する。また、データベースには、複数の学習用データを用いて算出された分類情報が記憶される。このため、評価結果を生成する際、過去に実績のあるデータ（入力データ及び血中二酸化炭素の特徴）を踏まえた定量的な血中二酸化炭素の特徴を含ませることができる。これにより、評価精度の向上を図ることが可能となる。
【００９３】
また、本実施形態によれば、生成手段Ｓ１２０は、学習済みモデルを参照し、評価データに紐づく健康状態結果を、評価結果に含ませて生成することができる。このため、血中二酸化炭素の特徴を判断材料とした健康状態を、ユーザに報知することができ、血中二酸化炭素の特徴のみを報知する場合に比べて、健康状態を容易に把握することができる。これにより、ユーザに対する利便性の向上を図ることが可能となる。
【００９４】
また、本実施形態によれば、複数の学習用データは、被検者の健康時における入力データ及び参照データのみを含み、健康状態結果は、評価データに紐づくユーザの健康状態が、健康か否かを示す。このため、不健康時における学習用脈波に基づく入力データ、及び血中二酸化炭素の特徴を準備できない場合においても、ユーザの健康状態を示す結果を生成することができる。これにより、分類情報を生成する際の難易度を高めることなく、ユーザに対する利便性のさらなる向上を図ることが可能となる。
【００９５】
また、本実施形態によれば、分類情報は、入力データを説明変数とし、参照データを目的変数としたＰＬＳ回帰分析を用いて得られた検量モデルである。このため、機械学習等を用いて分類情報を算出する場合に比べて、学習用データの数を大幅に減らすことができとともに、検量モデルの更新を容易に実施することができる。これにより、生体情報演算システム１００の構築及び更新の容易化を図ることが可能となる。
【００９６】
（第２実施形態：生体情報演算システム１００）
次に、第２実施形態における生体情報演算システム１００の一例について説明する。上述した実施形態と、第２実施形態との違いは、脈波に基づく予備評価データを取得する点である。なお、上述した実施形態と同様の内容については、説明を省略する。
【００９７】
本実施形態における生体情報演算装置１は、例えば図７に示すように、脈波に基づき生成された１つセンサデータに対し、２種類の処理を実施する。これにより、生体情報演算装置１は、評価データと、評価データとは異なる予備評価データを取得する。なお、予備評価データは、複数取得されてもよい。
【００９８】
生体情報演算装置１は、予備評価データに対する生体情報を算出し、例えば生体情報を含む予備評価結果を生成する。例えば生体情報演算装置１では、評価結果に加え、予備評価結果を出力することができる。なお、例えば生体情報演算装置１では、評価結果に生体情報を含ませてもよい。
【００９９】
生体情報として、例えば脈拍数及び呼吸数の少なくとも何れかを算出することができる。この場合、例えば図８（ａ）及び図８（ｂ）に示すように、取得手段Ｓ１１０において実施される前処理の内容、及び生成手段Ｓ１２０において参照されるデータベースの内容が異なる場合がある。以下、脈拍数及び呼吸数を生体情報として算出する例を説明する。
【０１００】
＜脈拍数の算出＞
例えば脈拍数を算出する場合、図８（ａ）に示すように、取得部１１は、上述したフィルタ処理をセンサデータに対して実施し、脈波データを抽出する。
【０１０１】
そして、取得部１１は、脈波データに対し、ピーク位置算出処理を実施する。ピーク位置算出処理では、脈波データに含まれる複数のピーク（振幅の最大値）を検出し、サンプリングされた順番（測定開始からの時間に相当）を特定する。これにより、取得部１１は、脈波データに含まれるピーク位置データを取得する。
【０１０２】
その後、取得部１１は、ピーク位置データに対し、ピーク間隔平均算出処理を実施する。ピーク間隔平均算出処理は、ピーク位置データに含まれるピークの間隔（隣接するピークがサンプリングされた順番の差分）を算出し、例えばピーク間隔の平均値を算出する。その後、取得部１１は、ピーク間隔又はピーク間隔の平均値に対し、センサデータのサンプリングレートで割り、秒数に相当するピーク間隔を示すデータを、予備評価データとして取得する。
【０１０３】
その後、生成部１２は、データベースを参照し、予備評価データに対する脈拍数を算出する。この際、生成部１２は、データベースに記憶された脈拍数用分類情報を参照する。脈拍数用分類情報は、例えば６０［秒］をピーク間隔で割る関数を示す。このため、生成部１２は、例えば予備評価データ（ピーク間隔＝０．８５［秒］）に対する脈拍数（＝７１［ｂｐｍ］）を算出することができる。これにより、生成部１２は、脈拍数を含む評価結果又は予備評価結果を生成することができる。
【０１０４】
＜呼吸数の算出＞
例えば呼吸数を算出する場合、図８（ｂ）に示すように、取得部１１は、上述したフィルタ処理をセンサデータに対して実施し、脈波データを抽出する。
【０１０５】
その後、取得部１１は、脈波データに対し、フーリエ変換処理を実施する。フーリエ変換処理では、例えばサンプリング時間対振幅を示す脈波データが、周波数対強度を示す周波数データに変換される。これにより、取得部１１は、脈波データに対する周波数データを取得する。
【０１０６】
その後、取得部１１は、周波数データに対し、最大周波数検出処理を実施する。最大周波数検出処理では、周波数データのうち、０．１５〜０．３５Ｈｚの間における最大強度の周波数が特定される。これにより、取得部１１は、特定された周波数の値を、予備評価データとして取得する。
【０１０７】
その後、生成部１２は、データベースを参照し、予備評価データに対する呼吸数を算出する。この際、生成部１２は、データベースに記憶された呼吸数用分類情報を参照する。呼吸数用分類情報は、例えば特定された周波数に６０［秒］をかける関数を示す。このため、生成部１２は、例えば予備評価データ（特定された周波数＝０．２２５Ｈｚ）に対する呼吸数（＝１３．５［ｂｐｍ］）を算出することができる。これにより、生成部１２は、例えば呼吸数を含む評価結果又は予備評価結果を生成することができる。
【０１０８】
このように、生体情報演算装置１では、予備評価結果に含ませる生体情報の内容に応じて、センサデータに対する前処理を設定し、参照するデータベースの内容を任意に設定することができる。
【０１０９】
なお、生体情報として、上述した脈拍数、呼吸数のほか、例えばストレス、血糖値、血圧、酸素飽和度、血管年齢、糖尿病の程度等のような、脈波に基づき算出可能な情報を用いることができる。
【０１１０】
また、算出する生体情報の内容に応じて、算出に用いる予備分類情報を予めデータベースに記憶させてもよい。この場合、上述した学習用脈波を示す予備入力データ、及び予備入力データに紐づく生体情報を含む予備参照データの一対を、予備学習用データとして複数準備する。そして、例えば学習部１５は、複数の予備学習用データを用いて予備分類情報を生成し、データベースに記憶させる。
【０１１１】
なお、予備参照データに含まれる生体情報の取得は、例えば上述した参照情報と同様に、必要な生体情報を計測するための計測装置を用いて、被検者を対象に計測することで取得できる。また、予備分類情報の学習方法は、上述した分類情報と同様の方法を用いることができる。
【０１１２】
上記のほか、生体情報演算装置１では、例えば図９に示すように、評価結果、及び予備評価結果に基づき、総合評価結果を生成し、出力等をすることができる。このため、生体情報演算システム１００では、評価結果とは異なる観点により生成された予備評価結果を利用することができ、多角的な評価を実施することができる。
【０１１３】
生体情報演算装置１では、例えば図３（ｂ）及び図３（ｃ）に示した２種類の処理を実施することで、センサデータから評価データ、及び予備評価データを取得してもよい。即ち、評価データとして、ユーザの加速度脈波に相当するデータが得られた場合、予備評価データとして、ユーザの速度脈波に相当するデータが得られる。この場合、評価データに対して生成された評価結果と、予備評価結果に対して生成された予備評価結果と、を用いることで、より精度の高い評価を実現することができる。
【０１１４】
本実施形態によれば、上述した実施形態の効果に加え、生成手段Ｓ１２０は、データベースを参照し、予備評価データに対するユーザの生体情報を含む予備評価結果を生成する。このため、評価結果とは異なる観点により生成された予備評価結果を利用することができ、多角的な評価を実施することができる。これにより、ユーザの要求に応じた適切な評価を実現することが可能となる。
【０１１５】
また、本実施形態によれば、生成手段Ｓ１２０は、予備分類情報を参照し、予備評価データに対する予備評価結果を生成することを含む。このため、評価結果とは異なる情報を参照して生成された予備評価結果を利用することができ、より多角的な評価を実施することができる。これにより、ユーザの要求に応じた適切な評価を容易に実現することが可能となる。
【０１１６】
（第３実施形態：生体情報演算システム１００）
次に、第３実施形態における生体情報演算システム１００の一例について説明する。上述した実施形態と、第３実施形態との違いは、複数の分類情報から、評価データに適した分類情報を選択する点である。なお、上述した実施形態と同様の内容については、説明を省略する。
【０１１７】
本実施形態における生体情報演算装置１は、例えば図１０に示すように、予備評価データを参照し、複数の属性別分類情報のうち特定の分類情報（例えば第１分類情報）を選択する（選択手段）。また、生体情報演算装置１は、選択した第１分類情報を参照し、評価データに対する血中二酸化炭素の特徴（例えば血中二酸化炭素分圧の値）を算出し、評価結果を生成する（属性別生成手段）。
【０１１８】
複数の属性別分類情報は、それぞれ異なる学習用データを用いて算出される。例えば学習用データの入力データとして、被検者の加速度脈波に相当するデータが用いられる場合、例えば図１１のような７種類（Ａ〜Ｇ）毎に入力データを準備し、７種類の属性分類情報を生成する。
【０１１９】
このような複数の属性別分類情報がデータベースに記憶される場合、例えば取得部１１は、ユーザの加速度脈波に相当する評価データ、及び予備評価データを取得する。そして、生成部１２は、予備評価データを参照し、第１分類情報を選択する。その後、生成部１２は、第１分類情報を参照し、評価データに対する血中二酸化炭素の特徴（例えば血中二酸化炭素分圧の値）を算出する。このため、各属性分類情報のうち、ユーザに最適な分類情報を選択することができる。
【０１２０】
なお、例えば学習用データの入力データとして、被検者の速度脈波に相当するデータが用いられる場合、例えば図１２のような２種類（グループ１、グループ２）毎に入力データを準備し、２種類の属性分類情報を生成してもよい。
【０１２１】
ここで、図１１に示す加速度脈波に相当するデータは、特徴に基づく詳細な分類が容易である反面、血中二酸化炭素の特徴を算出する際、ピークの誤検出等に伴う精度低下が懸念として挙げられる。また、図１２に示す速度脈波に相当するデータは、加速度脈波に相当するデータに比べ、特徴に基づく詳細な分類が困難であるが、ピークの誤検出等が少ないため、血中二酸化炭素の特徴を高精度に算出し得る。
【０１２２】
上記を踏まえ、複数の属性分類情報は、特定の分類情報を選択するために用いられる選択用データとして、例えば図１１のような加速度脈波に相当するデータを含み、属性分類情報を生成する際の学習データには、速度脈波に相当するデータが用いられてもよい。
【０１２３】
この場合、取得手段Ｓ１１０として、例えば取得部１１は、ユーザの脈波に基づくセンサデータから、速度脈波に相当するデータを評価データとして取得する。また、取得部１１は、センサデータから、加速度脈波に相当するデータを予備評価データとして取得する。
【０１２４】
次に、選択手段として、例えば生成部１２は、予備評価データを参照し、加速度脈波に相当するデータを含む複数の選択用データのうち、予備評価データに最も類似する選択用データ（第１選択用データ）を特定し、第１選択用データに紐づく第１分類情報を選択する。そして、属性別生成手段として、生成部１２は、第１分類情報を参照し、評価データに対する評価結果を生成する。これにより、評価精度のさらなる向上を図ることが可能となる。
【０１２５】
ここで、上述した選択用データ等に用いられるデータの一例を説明する。
【０１２６】
例えば図１１に示すように、加速度脈波には、ａ〜ｅの変曲点が存在する。例えば、加速度脈波における最大のピークをａ点とし、ａ点から順に各変曲点をｂ点、ｃ点、ｄ点、ｅ点とし、ａ点を１とし、最小値であるｂ点もしくはｄ点を０とした規格化を行った場合、加速度脈波は、各変曲点の値と、その差の大小関係により分類する方法を用いて、７パターンに分類することができる。まず、変曲点の値がｂ＜ｄの場合は、パターンＡまたはＢに分類する。ｂ＜ｄでさらにｃ≧０．５であればＡ、そうでなければＢに分類する。次に変曲点の値がｂ≒ｄの場合、パターンＣまたはＤに分類する。ｂ≒ｄでさらにｃ≒０の場合はパターンＤ、そうでなければパターンＣに分類する。最後に、ｂ＞ｄの場合は、パターンＥ、Ｆ、Ｇの何れかに分類できる。ｂ＞ｄでさらにｂ＜ｃであればパターンＥに、ｂ≒ｃであればパターンＦ，ｂ＞ｃであればパターンＧに分類する。
【０１２７】
例えば生成部１２は、予備評価データが、例えば図１１のどのパターンに当てはまるかを判断し、第１選択用データを特定する。例えば、入力された予備評価データの変曲点ｂが変曲点ｄより小さく、さらに変曲点ｃ≧０．５であれば、パターンＡを第１選択用データとする。これにより、評価データの特徴に適した分類情報を参照し、血中二酸化炭素の特徴を精度良く算出することができる。
【０１２８】
本実施形態によれば、上述した実施形態の効果に加え、生成手段Ｓ１２０は、予備評価データを参照し、第１分類情報を選択する選択手段と、第１分類情報を参照し、評価データに対する評価結果を生成する属性別生成手段とを含む。このため、脈波の特徴に対して最適な属性分類情報を選択した上で、評価データに対する評価結果を生成することができる。これにより、評価精度のさらなる向上を図ることが可能となる。
【０１２９】
また、本実施形態によれば、取得手段Ｓ１１０は、脈波に基づく速度脈波に相当するデータを、評価データとして取得する。また、予備取得手段は、脈波に基づく加速度脈波に相当するデータを、予備評価データとして取得する。このため、速度脈波に比べて、脈波の特徴を分類し易い加速度脈波を用いて、属性分類情報を選択することができる。また、加速度脈波に比べて、血中二酸化炭素の特徴を算出し易い速度脈波を用いて、評価結果を生成することができる。これにより、評価精度のさらなる向上を図ることが可能となる。
【０１３０】
なお、上述した各実施形態では、血中二酸化炭素の特徴として、主に血中二酸化炭素分圧の値が用いられる場合について説明したが、血中二酸化炭素の溶存濃度、血液に含まれる重炭酸・バイカーボネートの濃度、及び血液のｐＨの少なくとも何れかが用いられる場合についても同様のため、説明を省略する。特に、血中二酸化炭素の特徴として血中二酸化炭素分圧の値が用いられる場合、他の値に比べて参照情報を収集し易い傾向がある。このため、分類情報を生成する際に費やす時間及び費用の大幅な削減を実現することが可能となる。
【０１３１】
本発明の実施形態を説明したが、この実施形態は例として提示したものであり、発明の範囲を限定することは意図していない。このような新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【０１３２】
１        ：生体情報演算装置
３        ：通信網
４        ：サーバ
５        ：センサ
６        ：検出部
１０      ：筐体
１１      ：取得部
１２      ：生成部
１３      ：出力部
１４      ：記憶部
１５      ：学習部
５０      ：取得部
５１      ：通信Ｉ／Ｆ
５２      ：メモリ
５３      ：命令部
５４      ：内部バス
５５      ：リストバンド
１００    ：生体情報演算システム
１０１    ：ＣＰＵ
１０２    ：ＲＯＭ
１０３    ：ＲＡＭ
１０４    ：保存部
１０５    ：Ｉ／Ｆ
１０６    ：Ｉ／Ｆ
１０７    ：Ｉ／Ｆ
１０８    ：入力部
１０９    ：表示部
１１０    ：内部バス
Ｓ１１０  ：取得手段
Ｓ１２０  ：生成手段
Ｓ１３０  ：出力手段
【要約】
【課題】評価精度の向上を図る生体情報演算システムを提供する。
【解決手段】ユーザの血中二酸化炭素の特徴に関する情報を出力する生体情報演算システムであって、取得手段と、データベースと、生成手段とを備える。取得手段は、前記ユーザの脈波に基づく評価データを取得する。データベースは、予め取得された学習用脈波に基づく入力データ、及び前記入力データに紐づく血中二酸化炭素の特徴を含む参照データの一対を学習用データとして、複数の前記学習用データを用いて生成された分類情報が記憶される。生成手段は、前記データベースを参照し、前記評価データに対する前記血中二酸化炭素の特徴を含む評価結果を生成する。
【選択図】図１【図１】
0006845520.tif 000002
【図２】
0006845520.tif 000003
【図３】
0006845520.tif 000004
【図４】
0006845520.tif 000005
【図５】
0006845520.tif 000006
【図６】
0006845520.tif 000007
【図７】
0006845520.tif 000008
【図８】
0006845520.tif 000009
【図９】
0006845520.tif 000010
【図１０】
0006845520.tif 000011
【図１１】
0006845520.tif 000012
【図１２】
0006845520.tif 000013